(57)【要約】  本発明は、一態様において、水平又は垂直の少なくともいずれかの方向に製品を貯蔵及び／又は展示するための、複数個のパッケージの配列を対象とする。それぞれが、（ａ）第一の展示方向から見た第一の展示視面を有して、第一の展示視面が、販売のための消費者への展示を意図し、第一の展示視面は、ブランド名、ブランドロゴ、又は製品名により画定される、主要展示要素を有し、主要展示要素は、パッケージ中で最大の擬似的な占拠面積を有する。各パッケージはまた、（ｂ）第一の展示方向と異なる第二の展示方向から見た第二の展示視面を有して、第二の展示視面が、販売のための消費者への展示を意図しており、第二の展示視面が、グラフィックにより画定されるコンセプト展示要素を有し、コンセプト展示要素が、パッケージ中で最大の擬似的な占拠面積を占め、コンセプト展示要素が、製品が実際に使用される時に、購入される製品のコンセプトを担持する。各パッケージの展示方向は、配列が全体としてパッケージの第一及び第二の展示視面により形成される所定のパターンを示すような具合に、各パッケージの第一又は第二の展示視面を見せるように選択的に決定される。【特許請求の範囲】
【請求項１】
水平又は垂直の少なくともいずれかの方向に製品を貯蔵及び／又は展示するための、複数個のパッケージの配列であって、
各パッケージが、製品の少なくとも一部を覆い、包み、又は収納するものであり、
（ａ）第一の展示方向から見た第一の展示視面であって、前記第一の展示視面が、販売のための消費者への展示を意図しており、前記第一の展示視面が、ブランド名、ブランドロゴ、又は製品名により画定される主要展示要素を有し、前記主要展示要素が、前記パッケージ中で最大の擬似的な占拠面積を有する、第一の展示視面と、
（ｂ）前記第一の展示方向と異なる第二の展示方向から見た第二の展示視面であって、前記第二の展示視面が、販売のための消費者への展示を意図しており、前記第二の展示視面が、グラフィックにより画定されるコンセプト展示要素を有し、前記コンセプト展示要素が、前記パッケージ中で最大の擬似的な占拠面積を占め、前記コンセプト展示要素が、前記製品が実際に使用される時に、購入される前記製品のコンセプトを担持する、第二の展示視面と、を有し、
各パッケージの前記展示方向が、前記配列が全体として、前記パッケージの前記第一及び第二の展示視面により形成される所定のパターンを示すように、各パッケージの前記第一又は第二の展示視面を見せるために選択的に決定されるパッケージの配列。
【請求項２】
各パッケージが、少なくとも第一及び第二のパネルを有し、これらのパネルがそれぞれ前記第一及び第二の展示視面を形成する、請求項１に記載のパッケージの配列。
【請求項３】
前記第二の展示視面が、キャッチフレーズの展示要素を追加要素として有する、請求項１に記載のパッケージの配列。
【請求項４】
各パッケージが、角柱形、円筒形、角錐形、円錐形、及び球形からなる群から選択される形状を有する、請求項１に記載のパッケージの配列。
【請求項５】
全ての前記パッケージが、立方体、直方体、又は角柱の形状である同一形状を有し、互いに垂直方向に積み重ね可能なようになっている、請求項４に記載のパッケージの配列。
【請求項６】
前記パッケージの前記第一及び第二の展示視面により形成される前記所定のパターンが、垂直ストライプパターン、水平ストライプパターン、格子パターン、斜めストライプパターン、及びこれらの少なくとも２つの組合せからなる群から選択される、請求項５に記載のパッケージの配列。
【請求項７】
前記製品が、女性ケア製品、ベビーケア及び／又は成人失禁用製品、ティッシュ、紙タオル、又は拭き布製品、ヘアケア製品、食品及びソフトドリンク製品、洗濯製品、布地ケア製品、ホームケア製品、口腔ケア製品、薬剤製品、制汗剤／防臭剤製品、ペットフード製品、化粧品及び皮膚ケア製品、電気器具、食品貯蔵容器製品、及びごみ袋製品からなる群から選択される、請求項１に記載のパッケージの配列。
【請求項８】
パッケージの配列を展示するための方法であって、前記方法が、
展示棚上で水平又は垂直の少なくともいずれかの方向に製品を貯蔵及び／又は展示するための、複数個のパッケージを供給する工程であって、それぞれのパッケージが、製品の少なくとも一部を覆い、包み、又は収納するものであり、
（ａ）第一の展示方向から見た第一の展示視面であって、前記第一の展示視面が、販売のための消費者への展示を意図しており、前記第一の展示視面が、ブランド名、ブランドロゴ、又は製品名により画定される主要展示要素を有し、前記主要展示要素が、前記パッケージ中で最大の擬似的な占拠面積を有する、第一の展示視面と、
（ｂ）前記第一の展示方向と異なる第二の展示方向から見た第二の展示視面であって、前記第二の展示視面が、販売のための消費者への展示を意図されており、前記第二の展示視面が、グラフィックにより画定されるコンセプト展示要素を有し、前記コンセプト展示要素が、前記パッケージ中で最大の擬似的な占拠面積を占め、前記コンセプト展示要素が、前記製品が実際に使用される時に、購入される前記製品のコンセプトを担持する、第二の展示視面と、を有する複数個のパッケージを供給する工程を含み、
前記方法が更に、
記配列が全体として前記パッケージの前記第一及び第二の展示視面により形成される所定のパターンを示すように、各パッケージの前記第一又は第二の展示視面を見せるために、各パッケージの前記展示方向を選択的に決定する工程を含む、方法。
【請求項９】
製品の少なくとも一部を覆い、包み、又は収納するためのパッケージであって、前記パッケージが、
（ａ）第一の展示方向から見た第一の展示視面であって、前記第一の展示視面が、販売のための消費者への展示を意図しており、前記第一の展示視面が、ブランド名、ブランドロゴ、又は製品名により画定される主要展示要素を有し、前記主要展示要素が、前記パッケージ中で最大の擬似的な占拠面積を有する、第一の展示視面と、
（ｂ）前記第一の展示方向と異なる第二の展示方向から見た第二の展示視面であって、前記第二の展示視面が、販売のための消費者への展示を意図されており、前記第二の展示視面が、グラフィックにより画定されるコンセプト展示要素を有し、前記コンセプト展示要素が、前記パッケージ中で最大の擬似的な占拠面積を占め、前記コンセプト展示要素が、前記製品が実際に使用される時に、購入される前記製品のコンセプトを担持する、第二の展示視面を有する、パッケージ。
【発明の詳細な説明】
【技術分野】
【０００１】
本発明は、消費者製品用のパッケージに関する。より具体的には、本発明は、展示中の認知を高めるための、２つの異なる視面を有するパッケージに関する。
【背景技術】
【０００２】
使い捨て吸収性製品（例えば、生理用ナプキン、乳児おむつ）や洗濯洗剤などの消費者製品は、パッケージ（例えば、プラスチックバッグ、厚紙箱、プラスチック瓶）中に入れられて、個々の製品として小売店で、例えば、ウォルマート（Wal-Mart）、カルフール（Carrefour）、ターゲット（Target）、クローガー（Kroger）などの倉庫店、スーパーマーケット、及び／又はクラブストアで販売されることが多い。
【０００３】
そのような消費者製品は、多数の異なる方法で展示され宣伝されている。長年にわたって、製品の販売量を増加させるために、そのような製品への消費者の認知を最大限にする数多くの試みがなされてきた。消費者の認知を高めるための１つの方法は、製品の宣伝である。これは、多数の異なる手段によって実施可能であり、及び実施されてきており、それらには、テレビ、ラジオ、印刷物、及びその他のマスメディア、クーポン、店内宣伝、ダイレクトメール並びにｅメール、カタログ並びにウェブサイトのリンク及び宣伝が挙げられるが、これらに限定されない。
【０００４】
例えば、テレビコマーシャル（ＴＶＣＭ）においては、売り手（例えば、小売店又は消費者製品の製造者）は、彼らの製品に、特に、そのブランド名、ブランドロゴ、及び製品名に、潜在的な消費者の注意を引くことを試みる。加えて、そのようなＴＶのＣＭはまた、製品コンセプトなどの製品に関するメッセージを潜在的な消費者に送ることを試みる。そのようなコンセプトとして、典型的には、使用中に製品によりもたらされる利点又は効果についてのイメージが挙げられるが、これらに限定されない。潜在的な消費者へより良く伝達しより簡単に記憶してもらうために、そのようなコンセプトは、テキストでない（すなわち、文字でない）グラフィックなどの形態により表現されるのが好ましいと考えられている。
【０００５】
たとえブランド名、ブランドロゴ、及び／又は製品名が製品コンセプトと共に潜在的な消費者の注意をうまく捕らえたとしても、まだ、売り手は、売り手の販売場所において、すなわち店内の棚又は他の貯蔵装置において、潜在的な消費者の注意を再び彼らの製品に引き付ける必要がある。
【０００６】
しかしながら、典型的な従来型小売店においては、消費者製品のパッケージは、パッケージの１つの面（典型的には正面）を示す配置にて棚の上で単に置かれるだけである。小売店は多数の製品を販売又は取り扱っているため、店内に展示される多くの製品の中で、興味を持たれる可能性のある特定の製品に、潜在的な消費者の注意を引くことは非常に困難である。加えて、パッケージの正面は通常、ブランド名及び／又は製品名（製品の絵も同様に）だけを示すので、潜在的な消費者がＴＶのＣＭで見た特定の製品のコンセプトを思い出すことは非常に困難である。
【発明の概要】
【発明が解決しようとする課題】
【０００７】
従って、潜在的な消費者の認知を高めることができる独特のやり方で、そのようなパッケージを展示する仕方を提供可能な方法、パッケージ、又は複数個のパッケージの配列が必要とされる。
【０００８】
また、そのようなパッケージに収納される製品のコンセプトを効果的に伝えるための、改善された伝達手段を提供可能な方法、パッケージ、又は複数個のパッケージの配列が必要とされる。
【課題を解決するための手段】
【０００９】
本発明は、一態様において、水平又は垂直の少なくともいずれかの方向に製品を貯蔵及び／又は展示するためのパッケージを対象とする。パッケージが、製品の少なくとも一部を覆い、包み、又は収納するものであり、（ａ）第一の展示方向から見た第一の展示視面であって、第一の展示視面が、販売のための消費者への展示を意図しており、第一の展示視面が、ブランド名、ブランドロゴ、又は製品名により画定される主要展示要素を有し、コンセプト展示要素が、パッケージ中で最大の擬似的な占拠面積を有する、また、各パッケージが、（ｂ）第一の展示方向と異なる、第二の展示方向から見た第二の展示視面であって、第二の展示視面が、販売のための消費者への展示を意図しており、第二の展示視面が、グラフィックにより画定されるコンセプト展示要素を有し、コンセプト展示要素が、パッケージ中で最大の擬似的な占拠面積を占め、コンセプト展示要素が、製品が実際に使用される時に、購入される製品のコンセプトを担持する。
【００１０】
本発明は、別の態様において、水平又は垂直の少なくともいずれかの方向に製品を貯蔵及び／又は展示するための、上述の複数個のパッケージの配列を対象とする。各パッケージの展示方向が、配列が全体として、パッケージの第一及び第二の展示視面により形成される所定のパターンを示すように、各パッケージの第一又は第二の展示視面を見せるように選択的に決定される。
【００１１】
本発明は又、更に別の態様において、そのようなパッケージの配列を展示するための方法を対象とする。その方法は、（ａ）複数個の上述のパッケージを供給する工程と、（ｂ）配列が全体としてパッケージの第一及び第二の展示視面により形成される所定のパターンを示すように、各パッケージの第一又は第二の展示視面を見せるために、各パッケージの展示方向を選択的に決定する工程を含む。
【００１２】
本発明の１つの利点は、潜在的な消費者の注意を高めることができる独特のやり方でパッケージを展示する方法を提供することである。加えて、本発明は、パッケージに内蔵される製品のコンセプトを効果的に伝えるために、改善された伝達手段を提供することができる。
【図面の簡単な説明】
【００１３】
【図１】本発明の１つの実施形態である、使い捨て吸収性物品用パッケージの簡略化した斜視図。
【図２】本発明の別の実施形態である、パッケージの簡略化した斜視図。
【図３】図１に示されるパッケージの第二の視面を示す略図。
【図４】図１に示されるパッケージの第二の視面の一部を示す略図。
【図５】展示ユニット上で展示される多数のパッケージを示す、本発明の１つの実施形態の概略計画図。
【図６】貯蔵又は展示ユニット上で展示される多数のパッケージを示す、本発明の別の実施形態の概略計画図。
【発明を実施するための形態】
【００１４】
本明細書において、「パッケージの配列」は、棚（又は他の展示装置）上で、水平又は垂直のいずれかの方向に配置される、少なくとも２つのパッケージの任意の配列を指す。パッケージの配列は、水平及び垂直の両方向に配置される、３つ以上のパッケージを包含することができる。一実施形態では、配列は、互いに（隣接して又は一定の距離で）置かれて水平方向に列を形成する、パッケージを包含する。代替実施形態では、配列は、互いに積み重ねられて垂直方向に列を形成する、パッケージを包含する。しかしながら、そのようなパッケージは、常に互いに積み重ねられる必要はなく、むしろ、棚（又は他の展示装置）の異なる段に置かれて、段を通じて垂直方向に列を形成することができる。これらの実施形態を図５及び６に示す。
【００１５】
本明細書において、「製品」は、消費者による使用を意図した、任意の対象物、材料、又は物質を指す。
【００１６】
本明細書において、「消費者」は、製品を購入し、購入を決定し、又は購入を検討している、任意の人を指す。通常は、消費者は、製品のエンドユーザーであるが、本明細書で用いられる消費者の定義は、そのように限定されない。例えば、消費者は、エンドユーザーのための購入者であって、エンドユーザーが購入者と異なる場合もある。
【００１７】
本明細書において、「ブランド名」は、特定の製品又は製品ラインの任意の名称を指す。ブランド名は、文字又は単語により表される。一般に、そのようなブランド名は、商標名又は商標である。
【００１８】
本明細書において、「ブランドロゴ」は、特定の製品又は製品ラインに関連付けられた、任意のしるしを指す。ブランドロゴは、文字、単語、グラフィック、又はこれらの任意の組合せの１つ以上、あるいはそれらの任意の組合せを包含する。
【００１９】
本明細書において、「グラフィック」は、線、少なくとも２つの色の違い若しくは変化、又はこれらの組合せにより構成されて、あるイメージを作り出すことができる、いずれかの図形を指す。そのように、グラフィックは、絵及びシンボル、又はアイコンを包含する。所望により、グラフィックは、文字を包含することができる。
【００２０】
本明細書において、「製品名」は、特定の製品又は製品ラインの任意の名称を指す。製品名は、文字又は単語により表される。そのような製品名は、一般名称又は叙述言葉、並びに商標名又は商標を包含することができる。
【００２１】
本明細書において、「展示視面」は、１つの外部方向からパッケージを見た時の、パッケージの任意の外観を指す。展示視面は、販売のための、潜在的な消費者への展示を意図している。展示視面は、パッケージの１つのパネルが視面全体を占める場合、そのパネルにより形成することができるが、組み合わさって視面を占める場合、パッケージの２つ以上のパネルにより形成することもできる。展示視面は、二次元平面の中で認識される。
【００２２】
本明細書において、「展示方向」とは、外部からパッケージを見る、任意の三次元方向を指す。展示方向が、潜在的な消費者に対して展示視面を与える。
【００２３】
本明細書において、「展示要素」とは、展示視面の少なくとも一部を構成する、いずれかの統一化された構成要素を指す。展示要素は、文字、単語、グラフィックの１つ以上、又はこれらの任意の組合せ、又は展示視面において統一化する、これらの任意の組合せにより形成することができる。展示要素は、展示視面内の二次元平面にて認識される。
【００２４】
本明細書において、「擬似的な占拠面積」とは、展示要素を内接（又は内側に接触）させる仮想長方形により画定される面積を指す。擬似的な占拠面積は、展示視面内の二次元平面にて認識される。展示要素が存在する平面内で二次元Ｘ−Ｙ平面を仮定すると、仮想長方形が以下の、Ｘ＝Ｘｍａｘ、Ｘ＝Ｘｍｉｎ、Ｙ＝Ｙｍａｘ、及びＹ＝Ｙｍｉｎの４つの線によって包囲される、長方形により画定できる。（上式において、Ｘｍａｘ、Ｘｍｉｎ、Ｙｍａｘ、及びＹｍｉｎはそれぞれ、Ｘ−Ｙ平面内の展示要素により得られる最大Ｘ値、最小Ｘ値、最大Ｙ値、及び最小Ｙ値である。）擬似的な占拠面積は、上の４つの線により包囲される、長方形内の面積として計算される。（擬似的な占拠面積を測定する一例が、以下において図４を参照することで説明される。）擬似的な占拠面積は、例えば、デジタルビデオカメラ及びコンピュータを含む画像処理装置によって、測定及び／又は計算することができる。
【００２５】
本発明は、製品の少なくとも一部を覆い、包み、又は収納するための手段を提供し、及び／又はパッケージの中、若しくは少なくとも中で部分的に配置された製品を貯蔵し、輸送し、保護し、又は展示するための手段を提供する製品のための改善されたパッケージを対象とする。パッケージはまた、中の製品を識別するために使用され、製品に関連する情報を消費者に提供する。そのようなパッケージは、製品を部分的に覆い又は結束する、ある種の材料（例えば、プラスチックフィルム材又は紙シート材）の被覆部材若しくは結束部材、製品を包む包装材料（例えば、プラスチックフィルム材又は紙シート材）、又は製品を収納する容器（例えば、プラスチックバッグ、プラスチック又は厚紙箱、プラスチック瓶）とすることができる。本発明のパッケージは、任意の好適な材料で作製されてもよい。
【００２６】
パッケージは、当該技術分野において既知の任意の形状及び寸法をとることができる。例えば、パッケージが容器である場合は一般に、角柱形（三角柱形、立方体、直方体、及び六角柱などその他の多角柱形を含む）、円筒形（楕円筒形を含む）、角錐形（三角錐形、正方角錐形、及び他の多角錐形を含む）、円錐形（楕円錐形を含む）、及び球形からなる群から選択される形状を有することができる。
【００２７】
これらのパッケージ形状は通常、パッケージの外側表面の少なくとも一部を形成する、２つ以上の平らなパネルを包含する。本明細書において、「平らなパネル」とは、概ね平らな表面を有してパッケージの外側表面の一部を構成する、パッケージのいずれかの構成要素パネルを指す。パッケージにいずれか特定の数のパネルを包含する必要が無いことに留意すべきである。
【００２８】
図１は、本発明の１つの実施形態である、使い捨て吸収性物品（例えば生理用ナプキン）用のパッケージ１００の簡略化した斜視図である。この実施形態では、パッケージ１００は、概ね直方体を有しており、前パネル１１と、前パネル１１に対向する後パネル１２と、前パネル１１及び後パネル１２を連結するサイドパネル１３と、前パネル１１及び後パネル１２及びサイドパネル１３を連結する頂部パネル１４と、頂部パネル１４に対向する底パネル１５を包含する。これらのパネル１１〜１５のそれぞれは、図１に示されるように、概ね平らである。これらのパネル１１〜１５は、パッケージ１００の外側表面２４を形成する。複数個の使い捨て吸収性物品又は生理用ナプキン（図１に示さず）が積み重ねられて、パッケージ１００中に収納されている。図１に示されるパッケージ１００は、薄い熱可塑性フィルム材の連続チューブから形成可能な、可撓性のプラスチックバッグである。パッケージ１００のサイド部分は、サイドパネル１３においてガセット構造２６を形成することで、閉じられ封止される。図１に示す実施形態では、ポリエチレンフィルムが、パッケージ部材の基フィルム材として使用されている。
【００２９】
本発明のパッケージは、少なくとも２つの視面を、すなわち、（ａ）第一の展示方向から見た第一の展示視面と、（ｂ）第一の展示方向と異なる第二の展示方向から見た第二の展示視面と、を有する。多くの実施形態において、パッケージは、パッケージを見た方向によって、２つより多い、又は非限定数の視面を有する。
【００３０】
第一及び第二の展示方向は、パッケージの外側表面のいずれかの部分を見せる任意の方向により決定でき、従って、第一及び第二の展示視面は、そのような方向から得られる任意の視面として画定することができる。パッケージに複数のパネルを包含する時、これらの各第一及び第二の展示視面は、パッケージが見た方向により、パッケージの単一のパネル又は複数のパネルによって構成することができる。
【００３１】
ある実施形態では、パッケージが、第一及び第二のパネルを有して、これらが各第一及び第二の展示視面を形成する。一実施形態では、パッケージは、概ね平らで互いに反対側の２つのパネル（例えば、前パネル及び後パネル）を有し、これらがそれぞれ第一及び第二の展示視面を形成する。（そのような実施形態が図１に示されている。）
本発明のパッケージ中で、第一及び第二の展示視面は、部分的に重ね合わせることができるが、重ね合わせる必要は無い（すなわち、重なり合った部分が無くてもできる）。すなわち、第一及び第二の展示視面が部分的に重ね合わされた時、各視面は共通展示要素を共有する。
【００３２】
図２は、概ね六角柱形を有する、別の実施形態のパッケージ２００を示す。パッケージ２００は、６つのサイドパネル３１〜３６、頂部パネル３０、及び底パネル３７を包含する。これらのパネル３０〜３７は、概ね平らである。第一の展示視面Ｖ１が、サイドパネル３１に対して垂直な方向Ｄ１から見た展示視面である場合、第一の展示視面Ｖ１は、３つの隣接したサイドパネル３１、３２、及び３６により形成される。同様に、第二の展示視面Ｖ２が、サイドパネル３６に対して垂直な方向Ｄ２から見た場合、第二の展示視面Ｖ２は、３つの隣接したサイドパネル３５、３６、及び３１により形成される。この実施形態では、第一及び第二の展示視面Ｖ１及びＶ２は、サイドパネル３１及び３６において、部分的に重なり合う。（従って、以降において定義、説明される「主要展示要素」及び「コンセプト展示要素」は、１つの単一パネル又は２つ（又はそれ以上）のパネルのいずれかにより形成できること、すなわち、２つ以上のパネルに渡って延びることに留意すべきである。）
図１に示す実施形態では、パッケージ１００は、一般に直方体を有する。パッケージ１００は前パネル１１に対して垂直な方向Ｄ１から見ると、第一の展示視面Ｖ１は、前パネル１１のみにより形成される。すなわち、第一の展示視面Ｖ１の全面積が、前パネル１１のみに占められ、他のパネルは占めない。また、このパッケージ１００は、後パネル１２に対して垂直な方向Ｄ２から見ると、第二の展示視面Ｖ２は、後パネル１２のみにより形成される。
【００３３】
本発明において、第一の展示視面は、販売のための、消費者への展示を意図している。第一の展示視面が、ブランド名、ブランドロゴ、又は製品名により画定される、主要展示要素を有する。主要展示要素が、パッケージの外側表面で最大の擬似的な占拠面積を有する。
【００３４】
本発明の第一の展示視面が、パッケージの外側表面で最大の擬似的な占拠面積を有する、主要展示要素を有する視面として画定される。ある実施形態では、選定される第一の展示方向によって、パッケージ中で最大の擬似的な占拠面積を占める主要展示要素を第一の展示視面のそれぞれが見せる場合、第一の展示視面が複数存在し得る（注：そのような主要展示要素は、同一の単一展示要素、又は２つ以上の異なる展示要素のいずれかとすることができる）。パッケージ中で最大の擬似的な占拠面積を占める主要展示要素を有する任意の展示視面は、本発明の第一の展示視面としてみなし得ることに留意すべきである。
【００３５】
図１に示す実施形態では、主要展示要素５０は、ブランド名５１（「ウィスパー（Whisper）」により画定（defied）される。あるいは、主要展示要素５０は、ブランドロゴ（図示せず）又は製品名（図示せず）により画定（defied）することができる。主要展示要素５０は、パッケージ１００中で（すなわち、パッケージ１００の外側表面２４内で）最大の擬似的な占拠面積を有する。
【００３６】
図３は、図１に示すパッケージ１００の第二の視面Ｖ２を示す。図１において後パネル１２に対して垂直な方向Ｄ２から後パネル１２を見た時、パッケージ１００の第二の視面Ｖ２が得られる。
【００３７】
本発明の第二の展示視面もまた、販売のための消費者への展示を意図している。第二の展示視面は、コンセプト展示要素を有する。本明細書において、「コンセプト展示要素」は、グラフィックにより画定される、製品が実際に使用される時にもたらされる、製品に関する少なくとも１つのある種のコンセプト又はメッセージを担持する、いずれかの展示要素を指す。製品に関するいかなるコンセプトも、コンセプト展示要素により担持可能である。多数の実施形態において、そのようなコンセプトで、製品が実際に使用される時に得られる製品の利点又は効果を反映しようと試みている。所望の場合、第二の展示視面は、グラフィックと一体になって１つの展示要素を形成する、文字及び／又は単語を追加的に有することができる。
【００３８】
加えて、本発明の第二の展示視面は、文字、単語、グラフィックの１つ以上の組合せ、又はこれらの任意の組合せ、又は展示視面において構成要素を統一する、これらのいずれかの組合せにより形成される、その他の展示要素を追加的に有することができる。
【００３９】
図１及び３に示す実施形態では、第二の展示視面Ｖ２（すなわち、パッケージ１００の後パネル１２の視面）が、コンセプト展示要素６０を有する。このコンセプト展示要素６０は、製品を使用している「健康で活動的な女性」のコンセプトを担持する「踊る女性」のグラフィック要素６１を包含する。図３に示す実施形態では、第二の展示視面Ｖ２は更に、パッケージ１００中に収納されている製品（すなわち、生理用ナプキン）のグラフィック要素６２を包含する。その上、第二の展示視面Ｖ２は更に、ある種のメッセージを担持できる、又は製品を説明できる、キャッチフレーズの展示要素を包含することができる。例えば、図３に示す実施形態では、第二の展示視面Ｖ２は、例えばキャッチフレーズ「しなやかなカーブ（Flexi-curves.）。しなやかなガード（Flexi-protection.）」（図示せず）を包含することができる。
【００４０】
コンセプト展示要素により担持されるコンセプトは、パッケージ中に収納されている製品の性質及び／又は特徴によって変化することができる。例えば、製品が乳児用おむつである場合、コンセプト展示要素は、製品を使用している「健やかで幸せな赤ちゃん」のコンセプトを担持する笑顔の健康的な乳児の絵とすることができる。別の例では、製品がスキンケア製品（例えば、保湿ローション製品）である場合、コンセプト展示要素は、製品を使用している「滑らかで健康的な皮膚の女性の顔」のコンセプトを担持する滑らかで健康的な皮膚を有する女性の顔の絵とすることができる。更に別の例では、製品がヘアケア製品（例えばシャンプー製品）である場合、コンセプト展示要素は、製品を使用している人のための「長くて輝く髪」のコンセプトを担持する美しい髪の女性の絵とすることができる。別の例では、製品が洗濯製品である場合、コンセプト展示要素は、製品を使用している人のための「光り輝く白さ」のコンセプトを担持する一組の白い衣類とすることができる。
【００４１】
コンセプト展示要素が、パッケージ中で最大の擬似的な占拠面積を占める。本発明の第二の展示視面は、パッケージの外側表面で最大の擬似的な占拠面積を有する、コンセプト展示要素を有する視面として画定される。ある実施形態では、選定される第二の展示方向によって、パッケージ中で最大の擬似的な占拠面積を占めるコンセプト展示要素を第二の展示視面のそれぞれが見せる場合、複数の第二の展示視面が存在し得る（注：そのようなコンセプト展示要素は、同一の単一展示要素、又は２つ以上の異なる展示要素のいずれかとすることができる）。パッケージ中で最大の擬似的な占拠面積を占めるコンセプト展示要素を有する任意の展示視面は、本発明の第二の展示視面としてみなし得ることに留意すべきである。
【００４２】
図４は、図１に示されるパッケージ１００の第二の視面Ｖ２の一部を構成する、コンセプト展示要素６０の略図を示す。この実施形態では、コンセプト展示要素６０は、「踊る女性」のグラフィック要素６１と製品（すなわち、生理用ナプキン）のグラフィック要素６２とを包含する。コンセプト展示要素６０が存在する平面内で二次元仮想Ｘ−Ｙ平面を仮定すると、仮想長方形６３が、次の４本の線によって包囲される区域により画定される。
【００４３】
Ｘ＝Ｘｍａｘ
Ｘ＝Ｘｍｉｎ
Ｙ＝Ｙｍａｘ
Ｙ＝Ｙｍｉｎ
上式において、Ｘｍａｘ、Ｘｍｉｎ、Ｙｍａｘ、及びＹｍｉｎはそれぞれ、Ｘ−Ｙ平面内のコンセプト展示要素６０の最大Ｘ値、最小Ｘ値、最大Ｙ値、及び最小Ｙ値である。これらの４線は、図４において、それぞれＬ１、Ｌ２、Ｌ３、及びＬ４により示されている。Ｌ１、Ｌ２、Ｌ３、及びＬ４の４線により形成される仮想長方形６３は、コンセプト展示要素６０を内接（又は内側に接触）させる。コンセプト展示要素６０の擬似的な占拠面積は、仮想長方形６３により包囲される面積として計算される。
【００４４】
図１の実施形態では、コンセプト展示要素６０の仮想長方形６３が、パッケージ１００の外側表面２４内で最大の擬似的な占拠面積を占めるので、その視面Ｖ２が、本発明の第二の展示視面とみなされる。
【００４５】
本発明のパッケージは、特定のタイプ又は範ちゅうの製品に決して限定されない。従って、本発明のパッケージは、中の製品がいかなるものであっても実施することができる。例えば、本発明の製品は、生理用ナプキン、パンティライナー、及びタンポンなどの女性ケア製品、おむつ及び失禁症用パッドなどのベビーケア及び／又は成人失禁用製品、ティッシュ、紙タオル、又は拭き布製品、シャンプー及びコンディショナーなどのヘアケア製品、ポテトチップ、コーヒー、及びジュースなどの食品及びソフトドリンク製品、洗剤及び固形石鹸などの洗濯製品、柔軟仕上げ剤などの布地ケア製品、表面洗浄製品などのホームケア製品、練り歯磨きなどの口腔ケア製品、薬剤製品、制汗剤／防臭剤製品、ペットフード製品、化粧品及び石鹸を包含する皮膚ケア製品、シェーバー及び電池を包含する電気器具、食品貯蔵容器製品、ごみ袋製品、及びその他の消費者製品からなる群から選択することができる。
【００４６】
本発明は、パッケージの大きさ又は寸法には何の制限も有さないことに留意すべきである。ある実施形態では、パッケージは、少なくとも幅１５．４ｃｍ、少なくとも高さ６．１ｃｍ、及び少なくとも奥行き３．６ｃｍを有する。図１に示す実施形態では、生理用ナプキンを収納するためのパッケージは、幅１１．６ｃｍの幅、高さ９．６ｃｍ、及び奥行き８．１ｃｍを有する。本発明のパッケージは、任意の大きさ又は寸法を有することができる。
【００４７】
本発明は又、水平又は垂直の少なくともいずれかの方向に製品を貯蔵及び／又は展示するための、複数個（すなわち２個以上）のパッケージの配列を包含する。ある実施形態では、そのようなパッケージは、水平及び垂直の両方向に配列される。配列は、寸法、形状、及び／又はパッケージ内製品の点で全て同一である、パッケージを包含することができる。あるいは、配列は、異なる寸法、異なる形状、及び／又は異なるパッケージ内の製品であるパッケージを包含することができる。
【００４８】
パッケージは、自立（すなわち、それらを保持するどのような展示構造物も無く、地面又は床にそれだけで立ち、及び／又は積み重ねられる）状態で、配置することができる。あるいは、パッケージは、立った状態に支持又は保持する構造物内に、配置することができる。パッケージの配列は、他の製品及び／又はパッケージから離れて、又は取り除かれるように位置することができ、あるいは同一又は異なる製造者の他の製品又はパッケージの隣に位置してもよい。
【００４９】
配列内では、所望の場合、各パッケージは、角柱形、円筒形、角錐形、円錐形、及び球形からなる群から選択される、異なる形状を有することができる。しかしながら、ある実施形態では、全てのパッケージが、同一形状を有する。そのような実施形態では、立方体、直方体、及び角柱形が、互いに垂直方向に積み重ねできるので好ましい。
【００５０】
図５は、展示ユニット７０上で展示される多数のパッケージを示す、本発明のある実施形態の概略平面図である。この実施形態では、展示ユニットが、３つの段又は棚７１〜７３を有する。第一の棚７１では、パッケージ１００が、水平及び垂直の両方向に配列されて（すなわち、垂直方向に積み重ねられて）、第一の部分的な配列８１を形成する。第二の棚７２では、パッケージ１００が、水平及び垂直の両方向に配列及び積み重ねられて、第二の部分配列８２を形成する。第三の棚７３では、パッケージ１００が、水平及び垂直の両方向に配列及び積み重ねられて、第三の部分配列８３を形成する。８１〜８３の各部分配列は、パッケージの１つの配列を形成しており、本発明の１つの実施形態とみなすことができるが、８１〜８３の３つの部分配列全てが全体として（すなわち、組み合わされたとみなされる時）、パッケージ１００の１つの大きな組合せ配列８０を形成し、これを本発明の更なる実施形態とみなすこともできる。
【００５１】
図５に示すこれらの実施形態では、これら８１〜８３の配列は、寸法、形状、及び中に貯蔵される製品において全て同一のパッケージ１００を包含するが、パッケージ１００の各展示方向は、８１〜８３の各配列（及び組合せた配列８０）が全体として、各パッケージ１００の第一及び第二の展示視面Ｖ１及びＶ２により形成される所定のパターンを示すように、各パッケージ１００の第一又は第二の展示視面Ｖ１、Ｖ２を見せるように選択的に決定される。各パッケージ１００の展示視面Ｖ１及びＶ２のそのような選択は、各パッケージ１００を回転することによって行うことができる。
【００５２】
本明細書において、「所定のパターン」は、構成要素（すなわち、パッケージの展示視面）の繰返しに規則性を有するいずれかのパターンを指す。第一及び第二の展示視面により形成されるそのような所定のパターンには制限が無く、すなわち、売り主又は小売店が所望する展示デザインによって変更可能である。幾つかの所定のパターンは、垂直ストライプパターン、水平ストライプパターン、及び格子パターンなどの繰返しの簡単な規則性を包含するが、他の所定のパターンは、上述の簡単な規則性の組合せを包含する、より複雑な繰返しの規則性を包含することができる。
【００５３】
幾つかの実施形態では、パッケージの第一及び第二の展示視面により形成される所定のパターンは、垂直ストライプパターン、水平ストライプパターン、格子パターン、斜めストライプパターン、及びこれらの少なくとも２つの組合せからなる群から選択される。
【００５４】
図５に示す実施形態では、配列８１は全体として、展示視面Ｖ１及びＶ２により形成される、垂直ストライプパターンを示す。配列８２も全体として、展示視面Ｖ１及びＶ２により形成される、水平ストライプパターンを示す。配列８３も全体として、展示視面Ｖ１及びＶ２により形成される格子パターンを示し、各格子ユニットが１個のパッケージ１００により形成される。組合せ配列８０も全体として、展示視面Ｖ１及びＶ２により形成される、上の３つのパターン（patters）の組合せを示す。
【００５５】
図５に示す実施形態では、１個のパッケージ１００が、各パターンのユニット構成要素を形成する。別の方法としては、同一視面を見せる２個以上のパッケージ１００が（すなわち、２つ以上の隣接した視面が一緒に）、別のパターンのためのユニット構成要素を形成することができる。
【００５６】
図６は、本発明の更なる実施形態の概略計画図である。配列８４は全体として、垂直ストライプパターンを示すが、各ストライプの幅は、同一視面を見せる２個のパッケージにより形成されており、これも更に所定のパターンの別の例である。
【００５７】
配列８５は全体として、格子パターンを示すが、各格子ユニットは、同一視面を見せる４つのパッケージにより形成されており、これも更に、所定のパターンの別の例である。
【００５８】
配列８６は全体として、斜めストライプパターンを示すが、それぞれの斜めストライプは、同一視面を見せる２つ又は１つのパッケージにより形成されており、これも更に、所定のパターンの別の例である。
【００５９】
上記説明の実施形態では、パッケージ１００が同一の大きさ又は寸法を有しているので、第一及び第二の展示視面Ｖ１及びＶ２は、同一の大きさ又は寸法寸法を有する。しかしながら、同一の大きさ又は寸法を有するパッケージ１００が、第一及び第二の展示方向の選択によって、異なる大きさ又は寸法を有する展示視面Ｖ１及びＶ２を見せる場合もあることに留意すべきである。例えば、第二の展示方向Ｖ２が、図１に示される実施形態におけるサイドパネル１３に垂直の方向（図示せず）として選択される場合、大きさ又は寸法が異なる第二の展示視面Ｖ２が得られる。
【００６０】
あるいは、大きさ又は寸法が異なるパッケージ１００が、大きさ又は寸法が異なる展示視面Ｖ１及びＶ２を見せ得ることにも留意すべきである。
【００６１】
上記の説明の実施形態のパッケージ１００は、２つの展示視面Ｖ１及びＶ２を有するが、所望の場合、各パッケージ１００内で更なる展示視面を有し得ることに留意すべきである。
【００６２】
上記実施形態では、配列８０〜８６が全体として、第一及び第二の展示視面Ｖ１及びＶ２により形成される所定のパターンを示すので、典型的には棚上のパッケージの１つの視面（典型的には正面）を見せる従来の配置と比較して、配列８０〜８６は、潜在的な消費者の認知を高めることができる、パッケージ１００の独特な展示方法を提供することができる。加えて、パッケージ１００の後パネル１２が「健康で活動的な女性」のコンセプトを担持する「踊る女性」のグラフィック要素６１を有するため、パッケージ１００の配列８０〜８６は又、パッケージ中に含まれた製品コンセプトを効果的に伝えるための、改善された伝達手段を提供することができる。更に、パッケージ１００が、主要展示要素５０を有する第一の展示視面Ｖ１に加えて、展示されるコンセプト展示要素６０を有する第二の展示視面Ｖ２を有するため、売り主又は小売店は、潜在的な消費者に示すべき、任意の１つの視面を選択することができる。
【００６３】
本明細書に開示される寸法及び値は、列挙する正確な数値に狭義に限定されるものとして理解するべきではない。それよりむしろ、特に指定されない限り、それぞれのそのような寸法は、列挙した値と、その値周辺の機能的に同等の範囲との両方を意味することを意図したものである。例えば、「４０ｍｍ」として開示された寸法は、「約４０ｍｍ」を意味することを意図する。
【００６４】
「発明を実施するための形態」で引用した全ての文献は、関連部分において本明細書に参考として組み込まれるが、いずれの文献の引用も、それが本発明に対する先行技術であることを容認するものと解釈されるべきではない。本明細書における用語のいずれかの意味又は定義が、参照することにより組み込まれる文献における用語のいずれかの意味又は定義と対立する範囲においては、本明細書においてその用語に付与した意味又は定義を適用するものとする。
【００６５】
本発明の特定の諸実施形態を図示し、記載したが、本発明の趣旨及び範囲から逸脱することなく他の様々な変更及び修正を実施できることは当業者には自明であろう。従って、本発明の範囲内にあるかようなすべての変更及び修正を、付加された許請求の範囲でカバーするものとする。
【図１】
2010500249.tif 000002
【図２】
2010500249.tif 000003
【図３】
2010500249.tif 000004
【図４】
2010500249.tif 000005
【図５】
2010500249.tif 000006
【図６】
2010500249.tif 000007